(57)【特許請求の範囲】
【請求項１】
撮影時にはシャッタ羽根を伴ってセット位置から駆動ばねの付勢力によって回転する一つ又は二つの駆動部材と、前記駆動部材をセット位置で係止する一つ又は二つの係止部材と、鉄芯部材とコイルとを有する一つ又は二つの電磁石と、セット状態においては前記鉄芯部材に接触させられており撮影時には前記コイルへの通電によって前記鉄芯部材に吸着保持されたあと該通電が遮断されたとき解除ばねの付勢力によって前記鉄芯部材から離反し前記係止部材による前記駆動部材の係止を解く一つ又は二つの係止解除部材と、ホールド部を有しておりセット状態においては該ホールド部によって前記係止解除部材を押圧して前記鉄芯部材に接触させ撮影時には離反ばねの付勢力によってストッパに当接するまで回転されるホールド部材と、前記ホールド部材との間に相反する方向へ回転するように付勢する連結ばねが掛けられていてセット時には該連結ばねを介し前記ホールド部材を前記離反ばねの付勢力に抗して回転させ前記鉄片部材が前記鉄芯部材に接触してからは該連結ばねを緊張させてセット位置まで回転され撮影時には該連結ばねの付勢力によって回転したあと前記ホールド部材と共に前記離反ばねの付勢力によって回転させられるホールド補助部材と、セット状態においては前記ホールド補助部材をセット位置に係止しており撮影時には前記コイルに対する通電後に該係止を解除するレリーズ部材と、を備えており、前記ホールド部材と前記ホールド補助部材とは、固定軸に回転可能な管軸部材に対して、一方が一体的に他方が回転可能に取り付けられており、前記連結ばねは、ねじりコイルばねであって、そのコイル部は、前記固定軸に取り付けられた筒状部材と前記管軸部材との両方にわたり接触可能に嵌装されていることを特徴とするカメラ用フォーカルプレンシャッタ。
【請求項２】
前記駆動部材と、前記係止部材と、前記電磁石と、前記係止解除部材とが各々二つ備えられており、前記ホールド部が、前記ホールド部材に取り付けられた押圧部材であって、セット状態においては、該押圧部材によって前記二つの係止解除部材を押圧し、各々の前記鉄片部材を各々の前記鉄芯部材に接触させるようにしたことを特徴とする請求項１に記載のカメラ用フォーカルプレンシャッタ。
【発明の詳細な説明】
【技術分野】
【０００１】
本発明は、銀塩フィルムカメラやデジタルカメラに用いられるカメラ用フォーカルプレンシャッタに関する。
【背景技術】
【０００２】
カメラ用フォーカルプレンシャッタの中には、シャッタ地板，中間板，補助地板と称されている３枚の板部材の間に二つの羽根室を構成し、それらの羽根室内に、先羽根，後羽根と称されている二つのシャッタ羽根を個別に配置すると共に、羽根室外においては、シャッタ地板に、先羽根用駆動部材と後羽根用駆動部材を取り付け、それらによって先羽根と後羽根を作動させるようにしたものが知られている。そして、この種のフォーカルプレンシャッタは、銀塩フィルムカメラにもデジタルカメラにも採用されている。また、一つのシャッタ羽根が、シャッタ地板と補助地板との間に構成された羽根室内に配置されており、シャッタ地板に取り付けられている一つの駆動部材が、撮影終了時に、シャッタ羽根に露光開口を覆わせるようにしたものも知られているが、この種のフォーカルプレンシャッタは、デジタルカメラにだけ採用されている。
【０００３】
また、これらのフォーカルプレンシャッタにおいては、上記の各駆動部材が、撮影時には、駆動ばねの付勢力によって回転させられ、セット時には、セット部材によって、その駆動ばねの付勢力に抗して回転させられるように構成されているため、少なくとも撮影開始の直前には、駆動部材は、露光作動開始位置で、何らかの手段によって、駆動ばねの付勢力に抗して保持されているようにし、その保持力が解除されることによって、作動を開始し得るようにしている。そして、その露光作動開始位置での保持方法には、係止タイプと称されている構成のものと、ダイレクトタイプと称されている構成のものとが知られているが、本発明で対象としているフォーカルプレンシャッタは、係止タイプのフォーカルプレンシャッタである。
【０００４】
本発明で対象にしている係止タイプのフォーカルプレンシャッタは、通常、露光開口を開閉する一つ又は二つのシャッタ羽根と、そのシャッタ羽根に連結されていて撮影時には駆動ばねの付勢力によってシャッタ羽根を伴ってセット位置から作動させられる一つ又は二つの駆動部材と、撮影終了後にシャッタ羽根を伴って駆動部材を駆動ばねの付勢力に抗してセット位置へ作動させるセット部材と、駆動部材をセット位置で駆動ばねの付勢力に抗して係止する一つ又は二つの係止部材と、撮影に際して係止部材による駆動部材の係止を解除する一つ又は二つの係止解除部材と、撮影時には先ず係止解除部材を吸着保持し次にその保持を解除して係止解除部材に係止部材による駆動部材の係止を解除させる一つ又は二つの電磁石と、セット状態においては係止解除部材を電磁石に接触させていて撮影時に係止解除部材が電磁石に吸着保持されると係止解除部材から離反するホールド部材と、を備えたものである。そして、下記の特許文献１には、それらのシャッタ羽根，駆動部材，係止部材を、各々二つずつ備えたフォーカルプレンシャッタが記載されている。また、下記の特許文献２には、上記のような二つの係止解除部材と、二つの電磁石と、ホールド部材とを有する係止解除機構の構成が記載されている。
【０００５】
ところで、周知のように、フォーカルプレンシャッタの中には、撮影時に、シャッタ羽根を露光開口の上方から下方へ作動させるものと、下方から上方へ作動させるものとがある。そのため、特許文献１に記載のフォーカルプレンシャッタは、下方から上方へ作動させるものとして説明され、特許文献２に記載の係止解除機構は、上方から下方へ作動させるものとして説明されている。しかしながら、特許文献２に記載されている係止解除機構は、撮影時において、二つの電磁石コイルへの通電を断つ順序を逆にすれば、特許文献１に記載のフォーカルプレンシャッタにも、そのまま採用することが可能なものである。
【０００６】
そして、特許文献２に記載されている係止解除機構は、具体的には次のように構成されている。セット状態においては、ホールド板（１５）が、二つの鉄片レバー（４，７）の鉄片（４ａ，７ａ）を、二つの電磁石コイル（２，３）の鉄芯部に接触させている。そして、撮影時にレリーズボタンを押すと、先ず、電磁石コイル（２，３）に通電して、鉄片（４ａ，７ａ）を磁気的に吸引保持させた後、レリーズレバー（１６）によって第二のホールドレバー（１２）の係止を解除する。そのため、二つのホールドレバー（１０，１２）は、バネ（１３）の付勢力によって回転し、ホールド板（１５）が鉄片レバー（４，７）から離れ、二つのストッパ（１８，１８）に当接することによって停止する。その後、電磁石コイル（２，３）に対する通電を所定の時間間隔で順に断つことによって、鉄片レバー（４，７）が離反バネ（６，９）の付勢力によって回転し、それらのボス（４ｂ，７ｂ）によって、二つの係止部材による各々の駆動部材の係止を解除するようにしている。
【０００７】
尚、特許文献２においては、二つの電磁石が、一つの鉄芯部材（鉄芯１）を共用するように構成されているが、実際には、別々に鉄芯を備えているようにするのが普通である。また、特許文献２に記載の係止解除機構は、二つのシャッタ羽根を備えたフォーカルプレンシャッタ用の係止解除機構として構成されているが、二つの電磁石コイル（２，３）と二つの鉄片レバー（４，７）を、一つずつ（例えば、電磁石コイル２と鉄片レバー４）とすれば、上記したシャッタ羽根を一つだけ備えたフォーカルプレンシャッタ用の係止解除機構になる。
【０００８】
【特許文献１】特開２００２−１３９７６９号公報
【特許文献２】実公平４−３３０１号公報
【発明の開示】
【発明が解決しようとする課題】
【０００９】
周知のように、フォーカルプレンシャッタを備えたカメラは、高級カメラであって、プロのカメラマンや多くのカメラマニアによって使用されている。そのため、動いている被写体を撮影するときなどには、コンパクトカメラなどの中級機に比較し、高速（短い露光時間）で撮影でき、且つ短時間でより沢山の撮影を行えることが要求されている。ところが、そのような観点から上記のような構成をしたフォーカルプレンシャッタの係止解除機構を見てみると、工夫を要する点が存在する。
【００１０】
即ち、上記の係止解除機構においては、撮影に際してカメラのシャッタボタンを押すと、電磁石コイル（２，３）に通電された後、ホールドレバー（１０，１２）は、レリーズレバー（１６）によって係止を解除され、ホールド板（１５）がストッパ（１８，１８）に当接するまで回転させられるようになっている。そして、この構成の場合には、ホールド板（１５）は、ストッパ（１８，１８）に当接すると、バウンドして、鉄片レバー（４，７）の作動軌跡内まで一時的に戻ってしまう。そのため、開き鉄片レバー（４）が作動中にホールド板（１５）に当たってしまうのを避けるため、電磁石コイル（２）への通電は、そのようなバウンドが停止するのを待ってから断つようにしている。従って、もしも、そのバウンドを好適に抑制することができれば、カメラのシャッタボタンを押してから、実際の撮影が開始されるまでの時間を短くすることが可能になり、それによって、シャッタチャンスを逸するおそれがなくなるし、次の撮影の開始を早くすることも可能になる。
【００１１】
また、シャッタ羽根を一つだけ備えたフォーカルプレンシャッタの場合は、デジタルカメラにだけ採用されるものであり、実際の撮影の開始は、固体撮像素子に蓄積された電荷を放出することによって行われ、シャッタ羽根は、撮影終了時点で閉じ作動を行なうように構成される。そのため、この場合には、カメラのシャッタボタンを押してから直ちに実際の撮影を開始させることは不可能ではない。しかしながら、そのようにしたのでは、上記のようなバウンドが停止するのを待ってからでなければ、シャッタ羽根を閉じさせることができないから、撮影可能な最高露光時間（最も短い露光時間）を短くすることができなくなる。そのようなことは、高級カメラには許されない。そのため、この場合にも、そのようなバウンドが停止するタイミングを考慮して、固体撮像素子に蓄積された電荷を放出し、実際の撮影が開始されるようにせざるを得ない。従って、シャッタ羽根を一つだけ備えたフォーカルプレンシャッタの場合にも、そのバウンドを好適に抑制できれば、カメラのシャッタボタンを押してから実際の撮影が開始されるまでの時間を短くすることが可能になり、シャッタチャンスを逸するおそれがなくなるし、次の撮影の開始を早くすることも可能になる。
【００１２】
本発明は、このような問題点を解決するためになされたものであり、その目的とするところは、駆動部材が、セット状態においては係止部材によって係止されおり、撮影時には係止解除部材によってその係止を解除され、シャッタ羽根を作動させるようにした所謂係止タイプのフォーカルプレンシャッタにおいて、セット状態においてはその係止解除部材を電磁石に接触させた状態に維持しているホールド手段が、撮影時において被ホールド位置へ作動したとき、ストッパに当接してもバウンドするのを抑制されるようにしたことにより、カメラのシャッタボタンを押してから実際の撮影が開始されるまでの時間を短くし、シャッタチャンスを逸するおそれをなくしたり、次の撮影を早期に開始させることを可能にしたカメラ用フォーカルプレンシャッタを提供することである。
【課題を解決するための手段】
【００１３】
上記の目的を達成するために、本発明のカメラ用フォーカルプレンシャッタは、撮影時にはシャッタ羽根を伴ってセット位置から駆動ばねの付勢力によって回転する一つ又は二つの駆動部材と、前記駆動部材をセット位置で係止する一つ又は二つの係止部材と、鉄芯部材とコイルとを有する一つ又は二つの電磁石と、セット状態においては前記鉄芯部材に接触させられており撮影時には前記コイルへの通電によって前記鉄芯部材に吸着保持されたあと該通電が遮断されたとき解除ばねの付勢力によって前記鉄芯部材から離反し前記係止部材による前記駆動部材の係止を解く一つ又は二つの係止解除部材と、ホールド部を有しておりセット状態においては該ホールド部によって前記係止解除部材を押圧して前記鉄芯部材に接触させ撮影時には離反ばねの付勢力によってストッパに当接するまで回転されるホールド部材と、前記ホールド部材との間に相反する方向へ回転するように付勢する連結ばねが掛けられていてセット時には該連結ばねを介し前記ホールド部材を前記離反ばねの付勢力に抗して回転させ前記鉄片部材が前記鉄芯部材に接触してからは該連結ばねを緊張させてセット位置まで回転され撮影時には該連結ばねの付勢力によって回転したあと前記ホールド部材と共に前記離反ばねの付勢力によって回転させられるホールド補助部材と、セット状態においては前記ホールド補助部材をセット位置に係止しており撮影時には前記コイルに対する通電後に該係止を解除するレリーズ部材と、を備えており、前記ホールド部材と前記ホールド補助部材とは、固定軸に回転可能な管軸部材に対して、一方が一体的に他方が回転可能に取り付けられており、前記連結ばねは、ねじりコイルばねであって、そのコイル部は、前記固定軸に取り付けられた筒状部材と前記管軸部材との両方にわたり接触可能に嵌装されているようにする。
【００１４】
その場合、前記駆動部材と、前記係止部材と、前記電磁石と、前記係止解除部材とが各々二つ備えられており、前記ホールド部が、前記ホールド部材に取り付けられた押圧部材であって、セット状態においては、該押圧部材によって前記二つの係止解除部材を押圧し、各々の前記鉄片部材を各々の前記鉄芯部材に接触させるようにすると、シャッタ羽根を二つ備えているフォーカルプレンシャッタとして極めて好適な構成になる。
【発明の効果】
【００１５】
本発明は、セット状態においては係止解除部材を電磁石に接触させていて撮影時には離反ばねの付勢力によってストッパに当接するまで回転させられるホールド部材と、ホールド部材との間に相反する方向へ回転するように付勢する連結ばねを掛けたホールド補助部材とが、固定軸に回転可能に取り付けられた管軸部材に対して、一方が一体的であり、他方が回転可能に取り付けられている構成の係止解除機構を備えた係止タイプのフォーカルプレンシャッタにおいて、上記連結ばねが、ねじりコイルばねであって、そのコイル部が、固定軸に取り付けられた筒状部材と管軸部材との両方にわたって接触可能に嵌装されている構成にしたため、連結ばねの捩れによって、管軸部材の内壁が固定軸に対して径方向に圧接され、撮影時における管軸部材の回転が好適に制動されようになっている。そのため、ホールド部材がストッパに当接したときに、バウンドが抑制され好適に停止するので、シャッタボタンを押してから実際に撮影が開始するまでの時間を短くすることができ、シャッタチャンスを逸するおそれがなくなるし、次の撮影を早期に開始させることも可能になる。
【発明を実施するための最良の形態】
【００１６】
本発明の実施の形態を、図示した実施例によって説明する。この実施例のフォーカルプレンシャッタは、二つのシャッタ羽根を備えていて、銀塩フィルムカメラにもデジタルカメラにも採用することができるものであるが、説明の便宜上、デジタルカメラに採用されている場合を前提にして説明することにする。
【実施例】
【００１７】
先ず、主に、図１〜図４を用いて本実施例の構成を説明する。尚、図１及び図２は、本実施例のセット状態（撮影待機状態）を被写体側から見て示した平面図であるが、図１は、主にシャッタ羽根の開閉駆動機構を説明するために、シャッタの左側の約半分を示したものであり、図２は、主に開閉駆動機構の係止解除機構を示したものである。そして、本来であれば、図２に示されている各構成部材は、図１に示された開閉駆動機構に被写体側から重ねて取り付けられているものであるが、そのようにして図示すると図面が見にくくなるため、二つに分けて示したものである。従って、両者の関係を分かり易くするために、一部の構成部材を両方に示してある。また、図３は、係止解除機構の一部を拡大して示した側面図であり、図４は、係止解除機構の構成部材であるホールド部材に対する押圧部材の回転位置関係を説明するための図である。
【００１８】
図１において、シャッタ地板１は、その略中央部に長方形を横長にした撮影光路用の開口部１ａを形成している。また、シャッタ地板１の背面側には、所定の間隔を空けて、中間板２と補助地板３が順に取り付けられ、シャッタ地板１と中間板２との間に後述の後羽根の羽根室を構成し、中間板２と補助地板３との間に後述の先羽根の羽根室を構成している。そして、それらの中間板２と補助地板３にも、開口部１ａと重なるところに類似の形状の開口部２ａ，３ａが形成されているが、露光開口は、開口部１ａによって規制されるようになっている。また、開口部１ａの左側には、円弧状の二つの長孔１ｂ，１ｃが形成されている。そして、それらの長孔１ｂ，１ｃの上端部には、平面形状が略Ｃ字状をしたゴム製の緩衝部材４，５が取り付けられている。
【００１９】
シャッタ地板１の被写体側は２階建てになっていて、１階と２階の間には一部に中２階が設けられている。即ち、シャッタ地板１の被写体側の面に立設された軸１ｄ，１ｅ，１ｆには、シャッタ地板１との間に所定の間隔を空けて上地板６が取り付けられている。そして、その上地板６は、図１においては外形だけが二点鎖線で示されており、図２においては実際の形状が実線で示されている。また、図２に示されているように、上地板６の被写体側の面に立設された軸６ａ，６ｂには、上地板６との間に所定の間隔を空けてカバー板７が平行に取り付けられており、そのカバー板７は、図２において、二点鎖線で示されている。更に、シャッタ地板１の被写体側の面には、明示されていない二つの軸が立設されていて、それらの軸の先端面には、シャッタ地板１との間にも、上地板６との間にも所定の間隔を空けるようにして、面積の小さな棚板８が、図１に示すように、二つのビス９，１０によって取り付けられている。そして、この棚板８には、上地板６側に折り曲げた折曲部８ａが設けられているほか、軸８ｂが立設されている。
【００２０】
シャッタ地板１の被写体側の面には、図１に示されているように、上記の軸１ｄ，１ｅ，１ｆのほかに、さらに、軸１ｇ，１ｈ，１ｉ，１ｊが立設されているが、それらのうち軸１ｇ，１ｈは、シャッタ地板１を貫通していて、背面側にも立設された構成をしている。また、シャッタ地板１の背面側、即ち固体撮像素子側の面には、それらの軸１ｇ，１ｈのほかに、軸１ｋ，１ｍも立設されている。
【００２１】
そして、シャッタ地板１の被写体側において、上記の軸１ｇには、先羽根用駆動部材１１が回転可能に取り付けられていて、図示していない先羽根用駆動ばねによって、反時計方向へ回転するように付勢されており、その回転によって、一部が、シャッタ地板１と棚板８との間に入り込む配置構成になっている。また、この先羽根用駆動部材１１は、被係止部１１ａを有しており、被写体側の面にはローラ１１ｂを回転可能に取り付け、背面側には駆動ピン１１ｃを設けている。そして、その駆動ピン１１ｃは、シャッタ地板１の長孔１ｂを貫通して、羽根室内で先羽根に連結されているが、その先羽根の構成については後述する。
【００２２】
また、シャッタ地板１の被写体側において、上記の軸１ｈには、後羽根用駆動部材１２が回転可能に取り付けられており、図示していない後羽根用駆動ばねによって、反時計方向へ回転するように付勢されている。この後羽根用駆動部材１２は、被係止部１２ａを有しており、被写体側の面にはローラ１２ｂを回転可能に取り付け、背面側には駆動ピン１２ｃを設けている。そして、その駆動ピン１２ｃは、シャッタ地板１の長孔１ｃを貫通して、羽根室内で後羽根に連結されているが、その後羽根の構成については後述する。
【００２３】
シャッタ地板１の軸１ｊには、セット部材１３が回転可能に取り付けられており、図示していないばねによって、時計方向へ回転するように付勢されている。そして、このセット部材１３は、被押動部１３ａを有しており、シャッタ地板１側の面には、上記の先羽根用駆動部材１１のローラ１１ｂに接触し得るローラ１３ｂと、上記の後羽根用駆動部材１２のローラ１２ｂに接触し得るローラ１３ｃとが取り付けられている。
【００２４】
また、棚板８の軸８ｂには、セット操作部材１４が回転可能に取り付けられている。このセット操作部材１４は、シャッタ地板１側の面に二つのローラ１４ａ，１４ｂを取り付けていて、上地板６側の面にはローラ１４ｃを取り付けている。そして、このセット操作部材１４自体は、ばねによって回転力を付与されていない。そのため、図１においては、このセット操作部材１４は、セット部材１３を付勢しているばねの力によって、ローラ１４ｂが被押動部１３ａに押されて反時計方向へ回転するのを、棚板８の折曲部８ａによって阻止されている状態となっている。尚、このセット操作部材１４は、図２をはじめとする係止解除機構を示した平面図においては、図面を見やすくするために、ローラ１４ａの取付部とローラ１４ｃだけが示されている。
【００２５】
シャッタ地板１の軸１ｉには、先羽根用係止部材１５が回転可能に取り付けられていて、図示していないばねによって、反時計方向へ回転するように付勢されている。この先羽根用係止部材１５は、シャッタ地板１側に折り曲げた係止部１５ａを有しているが、図１においては、この係止部１５ａが、先羽根用駆動部材１１の被係止部１１ａを係止し、先羽根用駆動部材１１の反時計方向への回転を阻止している。また、この先羽根用係止部材１５は、上地板６側に折り曲げた折曲部の左端に、さらに上地板６側に突出させた被押動部１５ｂを有していて、その被押動部１５ｂを、セット操作部材１４に形成された図示していない長孔に挿入し、さらに上地板６の四角い孔６ｃ（図２参照）に挿入することによって、上地板６とカバー板７の間に配置させている。尚、セット操作部材１４に形成されていて先羽根用係止部材１５の被押動部１５ｂを挿入している長孔の図示が省略されている関係で、図１，図７，図９，図１２，図１３において、先羽根用係止部材１５については、被押動部１５ｂを実線で示してある。
【００２６】
上地板６を取り付けている上記の軸１ｆには、後羽根用係止部材１６が回転可能に取り付けられていて、図示していないばねによって、反時計方向へ回転するように付勢されている。この後羽根用係止部材１６は、シャッタ地板１側に折り曲げた係止部１６ａと、上地板６側に折り曲げた形状の被押動部１６ｂを有している。そして、係止部１６ａは、図１において、後羽根用駆動部材１２の被係止部１２ａを係止し、後羽根用駆動部材１２の反時計方向への回転を阻止している。また、被押動部１６ｂは、図２に示すように、上地板６に形成されている糸巻き形状の孔６ｄに挿入され、上地板６とカバー板７の間に突き出ている。
【００２７】
図２に示されているように、上地板６は、上下一直線となるように形成された二つの折曲部６ｅ，６ｆを有している。そして、上地板６は、それらの折曲部６ｅ，６ｆを境にして段違いになっており、右側の面は、左側の面よりシャッタ地板１側となっている。また、図面上では分かりにくくて符号も付けていないが、それらの折曲部６ｅ，６ｆの上下中間領域には、主に左側の面となるようにして、比較的大きな開口部が形成されている。このような形状の上地板６には、二つの電磁石１７，１８がビス２０，２１によって取り付けられている。電磁石１７，１８は、Ｕ字形をした鉄芯部材１７ａ，１８ａと、コイル１７ｂ，１８ｂを巻回したボビン１７ｃ，１８ｃとからなっており、ボビン１７ｃ，１８ｃは、鉄芯部材１７ａ，１８ａの一方の脚部に嵌装されている。そして、それらのボビン１７ｃ，１８ｃは、上地板６側の一部を上記の開口部に挿入していて、図５から分かるように、鉄芯部材１７ａ，１８ａから右側へ抜けるのを、カバー板７の抑止部７ａによって抑えられている。
【００２８】
上地板６に立設されていてカバー板を取り付けている上記の軸６ａ，６ｂには、先羽根用解除部材２２と後羽根用解除部材２３が回転可能に取り付けられており、各々図示していない解除ばねの付勢力によって、先羽根用解除部材２２は反時計方向へ、後羽根用解除部材２３は時計方向へ付勢されている。そして、先羽根用解除部材２２は、先羽根用係止部材１５の被押動部１５ｂを押す押動部２２ａを有しているほか、先端に形成された折曲部には鉄片部材２４を取り付けている。また、後羽根用解除部材２３は、後羽根用係止部材１６の被押動部１６ｂを押す押動部２３ａを有しているほか、先端に形成された折曲部には鉄片部材２５を取り付けている。そして、それらの鉄片部材２４，２５は、それらが取り付けられている折曲部の右側に突き出した被押動部２４ａ，２５ａを有している。尚、本実施例の場合には、上記の各鉄片部材２４，２５が、各解除部材２２，２３とは、別部材とされているが、一体とされていても差し支えない場合がある。
【００２９】
上地板６には軸６ｈが立設されており、そこには、上地板６側からホールド部材２６とホールド補助部材２７とが回転可能に取り付けられているが、それらの取付け構成は、図２と図３を参照しながら説明する。図３に示すように、上地板６の軸６ｈには、管軸部材２８と筒状部材２９とが回転可能に取り付けられているが、筒状部材２９の方は圧入などの適宜な方法で固定されているようにしても差し支えない。このような管軸部材２８に対して、ホールド補助部材２７は固定されているが、ホールド部材２６は、ホールド補助部材２７との間にワッシャ３０を介在させ、回転可能に取り付けられている。しかしながら、本実施例では、このように構成されているが、ホールド部材２６を固定し、ホールド補助部材２７を回転可能に取り付けるように構成することも考えられる。
【００３０】
ホールド部材２６とホールド補助部材２７との間には、連結ばね３１が掛けられていて、図２において、ホールド部材２６を時計方向へ回転させ、ホールド補助部材２７を反時計方向へ回転させるように付勢しているが、この連結ばね３１は、ねじりコイルばねであって、コイル部が管軸部材２８と筒状部材２９の両方に接触可能に嵌装されており、一方の腕部をホールド部材２６の軸２６ａに掛け、他方の腕部をホールド補助部材２７の折曲部２７ｂ（図２参照）に掛けている。そして、この連結ばね３１が、ホールド部材２６とホールド補助部材２７を相対的に回転させる付勢力は、ホールド部材２６の軸２６ａの大径部にホールド補助部材２７の当接部２７ａが当接することによって失われるようになっている。
【００３１】
ところで、図２から分かるように、連結ばね３１は、緊張されて巻き芯が捩れた状態で取り付けられているため、上地板６側の一部が管軸部材２８を径方向へ押し、カバー板７側の一部が筒状部材２９を径方向へ押している状態となっている。そのため、管軸部材２８の内周面と軸６ｈの外周面との接触圧は全周にわたって略同一にはなっておらず、所定の周辺位置で管軸部材２８の内周面の一部が、軸６ｈの外周面の一部に押圧された状態になっている。即ち、図２においては、連結ばね３１の捩れによる径方向への力は、軸６ｈに対して、管軸部材２８を右方向から左方向へは押すように作用しているが、管軸部材２８を左方向から右方向へ押すようには作用していない。そのため、管軸部材２８は、軸６ｈに対して、全体として略左方向へ押されていることになる。
【００３２】
そして、後述する作動説明からも分かるように、管軸部材２８が、ホールド部材２６と共に回転せず、ホールド補助部材２７とだけ限られた回転角度内で回転したときには、連結ばね３１の緊張は僅かに緩むことになるが、その場合にも、径方向に圧接されている位置が相対的に若干回転方向へずれるだけであって、管軸部材２８の内周面の一部が、軸６ｈの外周面の一部に対して強制的に押圧させられている状態は変わらない。従って、管軸部材２８が、ホールド補助部材２７とだけではなく、ホールド部材２６と一緒に回転するときには、そのような径方向の押圧力によって軸６ｈの外周面の一部と管軸部材２８の内周面の一部との間に適度の摩擦力が発生し、管軸部材２８の回転に対して制動力として作用するようになっている。
【００３３】
また、図３に示されているように、ホールド部材２６は、管軸部材２８の周囲に緩く嵌装されている離反ばね３２によって、図２において反時計方向へ回転するように付勢されている。そして、この離反ばね３２は、ホールド部材２６に直接掛けるようにしても構わないが、本実施例の場合には、そのようにしていない。即ち、この離反ばね３２は、ねじりコイルばねであって、本実施例の場合には、一方の腕部を上地板６の縁に掛け、他方の腕部をホールド補助部材２７の折曲部２７ｃ（図２参照）に掛けている。そのため、ホールド部材２６は、離反ばね３２に付勢されているホールド補助部材２７の当接部２７ａが軸２６ａを押すことによって、図２において反時計方向へ回転させられるようになっている。他方、ホールド補助部材２７は、上記の折曲部２７ｃより先端側が、上地板６の背面側に配置されており、上地板６の左側に位置した先端には折曲部が設けられていて、その一部が上地板６よりもカバー板７側に延伸して被係止部２７ｄとなっている。
【００３４】
次に、主に、図３及び図４を参照して、ホールド部材２６に対する押圧部材３３の取付け構成を説明する。図４に示されているようにホールド部材２６は、上記の管軸部材２８に取り付けるための孔２６ｂと、上記の軸２６ａを立設するための孔２６ｃとを有しているほか、下方部には軸２６ｄを立設し、さらにその下方端にはストッパ部２６ｅを有している。また、軸２６ｄに回転可能に取り付けられた押圧部材３３は、二つの押圧片３３ａ，３３ｂのほかに、ホールド部材２６の作動面側に折り曲げられた当接部３３ｃを有している。
【００３５】
そして、押圧部材３３に設けられた二つの押圧片３３ａ，３３ｂは、上記の先羽根用解除部材２２と後羽根用解除部材２３に取り付けられた鉄片部材２４，２５の被押動部２４ａ，２５ａを押し、電磁石１７，１８の鉄芯部材１７ａ，１８ａに対して鉄片部材２４，２５を押し付けるためのものである。また、ストッパ部２６ｅと当接部３３ｃは、ホールド部材２６に対する押圧部材３３の回り止めをするためのものであって、押圧部材３３が、図４（ａ）の状態から反時計方向へ回転すると、図４（ｃ）に示されているように、当接部３３ｃがストッパ部２６ｅに当接して停止し、時計方向へ回転すると、図４（ｄ）に示されているように、当接部３３ｃがホールド部材２６の端面に当接して停止するようになっている。
【００３６】
上地板６には軸６ｉが立設されていて、そこには、先羽根用解除部材２２やホールド部材２６よりもカバー板７側に配置されているレリーズ部材３４が回転可能に取り付けられており、図示していないばねによって反時計方向へ回転するように付勢されているが、図２に示された状態においては、図示していないストッパによって、その回転が阻止されている。そして、このレリーズ部材３４には、上記のホールド補助部材２７の被係止部２７ｄを係止するための係止部３４ａと、折り曲げ形状をしていて上地板６の右側に突き出している操作部３４ｂとが設けられている。そして、カバー板７は、上記のように、軸６ａ，６ｂに取り付けられているほか、符号を付けていない二つの孔を、軸６ｉの先端の小径部と、軸６ｈの先端に嵌合させていて、図２の右方位置には、上地板６側に折り曲げた細長いストッパ部７ｂを有している。
【００３７】
最後に、各々の羽根室内に配置されている先羽根と後羽根の構成を説明する。先ず、先羽根は、図１に示されているように、シャッタ地板１に立設された二つの軸１ｇ，１ｋに枢着されている二つのアーム３５，３６と、それらの先端に向けて順に枢支された３枚の羽根３７，３８，３９とで構成されていて、羽根３９をスリット形成羽根としている。また、アーム３５に形成された周知の孔に、先羽根用駆動部材１１の駆動ピン１１ｃを嵌合させている。他方、後羽根は、先羽根を裏返したようにして配置されており、シャッタ地板１に立設されている二つの軸１ｈ，１ｍに枢着された二つのアーム４０，４１と、それらの先端に向けて順に枢支された３枚の羽根４２，４３，４４とで構成されていて、羽根４４をスリット形成羽根としている。また、アーム４０に形成された周知の孔に、後羽根用駆動部材１２の駆動ピン１２ｃを嵌合させている。
【００３８】
次に、本実施例の作動を説明する。図１及び図２は、本実施例のセット状態を示している。このとき、セット部材１３は、図示していないばねの付勢力によって時計方向へ回転し、上記したようにローラ１４ｂを押すことによってセット操作部材１４を反時計方向へ回転させ、セット操作部材１４が棚板８の折曲部８ａに当接することによって、図１の状態に保たれている。セット部材１３とセット操作部材１４にとっては、この状態の位置が初期位置である。そして、このセット状態においては、セット部材１３のローラ１３ｂ，１３ｃは、先羽根用駆動部材１１と後羽根用駆動部材１２の各ローラ１１ｂ，１２ｂの作動範囲外に位置している。
【００３９】
また、このセット状態において、先羽根用駆動部材１１は、図示していない先羽根用駆動ばねの付勢力に抗して、被係止部１１ａを先羽根用係止部材１５の係止部１５ａに係止され、後羽根用駆動部材１２は、図示していない後羽根用駆動ばねの付勢力に抗して、被係止部１２ａを後羽根用係止部材１６の係止部１６ａによって係止されている。それにより、先羽根用駆動部材１１の駆動ピン１１ｃに連結されている先羽根は、３枚の羽根３７，３８，３９を展開状態にして開口部１ａを覆った状態を維持され、後羽根用駆動部材１２の駆動ピン１２ｃに連結されている後羽根は、３枚の羽根４２，４３，４４を重畳状態にして開口部１ａの下方位置に格納された状態を維持されている。
【００４０】
更に、このとき、図２に示すように、ホールド補助部材２７は、その被係止部２７ｄをレリーズ部材３４の係止部３４ａに係止されている。そのため、図３に示すように、管軸部材２８に緩く嵌装されていて、一端を上地板６に掛け、他端をホールド補助部材２７の折曲部２７ｃに掛けている離反ばね３２は、緊張されている。また、このとき、ホールド部材２６に取り付けられた押圧部材３３は、その押圧片３３ａ，３３ｂが、先羽根用解除部材２２と後羽根用解除部材２３に取り付けられている鉄片部材２４，２５の被押動部２４ａ，２５ａを押し、電磁石１７，１８の鉄芯部材１７ａ，１８ａに押し付けている。そして、この状態においては、ホールド補助部材２７の当接部２７ａは、ホールド部材２６の軸２６ａから離れている。そのため、管軸部材２８と筒状部材２９の両方に嵌装され、一端をホールド部材２６の軸２６ａに掛け、他端をホールド補助部材２７の折曲部２７ｂに掛けている連結ばね３１も緊張されている。
【００４１】
このようなセット状態において、カメラのレリーズボタンが押されると、最初に先羽根が開口部１ａの開き作動を開始し、所定時間後に後羽根が閉じ作動を開始して、通常の昼光撮影の場合には、先羽根のスリット形成羽根３９と後羽根のスリット形成羽根４４によってスリットを形成し、固体撮像素子の撮像面を連続的に露光していくことになるが、以下においては、説明の便宜上、先羽根が開口部１ａを全開にしてから後羽根が開口部１ａを閉じ始める場合で説明することにする。
【００４２】
この状態において、カメラのレリーズボタンを押すと、先ず、図２に示されている二つの電磁石１７，１８のコイル１７ｂ，１８ｂに対し、電流が供給される。そのため、先羽根用解除部材２２に取り付けられている鉄片部材２４と、後羽根用解除部材２３に取り付けられている鉄片部材２５が、電磁石１７，１８の鉄芯部材１７ａ，１８ａに吸着保持される。その後、カメラ本体側の部材によってレリーズ部材３４の操作部３４ｂが押されると、レリーズ部材３４は、図示していないばねの付勢力に抗して時計方向へ回転し、係止部３４ａによる被係止部２７ｄの係止を解除する。そのため、ホールド補助部材２７は、ホールド部材２６との間に掛けられている連結ばね３１の付勢力と、上地板６との間に掛けられている離反ばね３２の付勢力とによって反時計方向へ回転させられる。
【００４３】
そして、ホールド補助レバー２７の当接部２７ａがホールド部材２６の軸２６ａに当接すると、連結ばね３１による回転力が失われるので、その後は、ホールド部材２６とホールド補助部材２７の両方が、離反ばね３２の付勢力だけによって反時計方向へ回転させられるようになり、ホールド部材２６に取り付けられている押圧部材３３の押圧片３３ａ，３３ｂが鉄片部材２４，２５の被押動部２４ａ，２５ａから離れて行く。ところで、上記の構成説明で詳しく述べたように、ホールド部材２６とホールド補助部材２７が一緒に回転するときには、管軸部材２８は、連結ばね３１の捩れによる径方向への付勢力によって、その内周面の一部が軸６ｈの外周面の一部に強制的に押し付けられた状態で回転させられるため、その回転には適度な制動力が作用している。そのため、本実施例の場合は、押圧部材３３が、カバー板７のストッパ部７ｂに当接したとき、バウンドが好適に抑制され、早期に静止状態が得られるようになっている。図５は、そのようにして、ホールド部材２６が停止した状態を示したものである。
【００４４】
このように、本実施例の場合には、ホールド部材２６のバウンドが抑制されて、早期に静止状態が得られるので、従来の場合よりも早く先羽根用電磁石１７のコイル１７ｂに対する通電を断つことができる。そして、露光制御回路からの信号によってコイル１７ｂに対する通電が断たれると、図示していないばねの付勢力によって、先羽根用解除部材２２が反時計方向へ回転させられ、押動部２２ａが先羽根用係止部材１５の被押動部１５ｂを押すことによって、先羽根用係止部材１５を図示していないばねの付勢力に抗して時計方向へ回転させる。そのため、先羽根用係止部材１５の係止部１５ａは、先羽根用駆動部材１１の被係止部１１ａの係止を解く。そして、このときには、レリーズ部材３４の操作部３４ｂに対するカメラ本体側の部材の押圧力も解かれており、レリーズ部材３４は図示していないばねの付勢力によって反時計方向へ回転し、その係止部３４ａがホールド補助部材２７の被係止部２７ｄに当接している。その状態が、図６に示された状態である。
【００４５】
このようにして、先羽根用係止部材１５による係止を解かれると、先羽根用駆動部材１１は、図示していない先羽根用駆動ばねの付勢力によって、図１の状態から急速に反時計方向へ回転させられる。そのため、先羽根の３枚の羽根３７，３８，３９は、隣接する羽根同士の重なりを大きくしつつ開口部１ａの上方へ作動し、開口部１ａの下方から開口部１ａを開放していく。そして、開口部１ａが全開になると、その直後に、先羽根用駆動部材１１は、その駆動ピン１１ｃが、長孔１ｂの上端に取り付けられた緩衝部材４に当接して停止させられ、先羽根の３枚の羽根３７，３８，３９は、重畳されて開口部１ａの上方位置で格納状態になる。図７は、そのときの状態を示したものである。
【００４６】
先羽根が開口部１ａを全開にすると、続いて、後羽根用の電磁石１８のコイル１８ｂに対する通電が断たれる。それによって、後羽根用解除部材２３が、図示していないばねの付勢力によって時計方向へ回転させられ、その押動部２３ａによって、後羽根用係止部材１６の被押動部１６ｂを押す。そのため、後羽根用係止部材１６は、図示していないばねの付勢力に抗して時計方向へ回転させられ、その係止部１６ａが、後羽根用駆動部材１２の被係止部１２ａの係止を解く。その状態が、図８に示された状態である。
【００４７】
このようにして、後羽根用係止部材１６による係止を解かれると、後羽根用駆動部材１２は、図示していない後羽根用駆動ばねの付勢力によって、図７の状態から急速に反時計方向へ回転させられる。そのため、後羽根の３枚の羽根４２，４３，４４は、隣接する羽根同士の重なりを小さくしつつ開口部１ａ内へ作動し、開口部１ａの下方から開口部１ａを閉鎖していく。そして、開口部１ａが完全に閉鎖すると、その直後に、後羽根用駆動部材１２は、その駆動ピン１２ｃが、長孔１ｃの上端に取り付けられた緩衝部材５に当接して停止させられる。図９は、このようにして、先羽根と後羽根による露光作動が終了し、後羽根の３枚の羽根４２，４３，４４が展開状態となって開口部１aを閉鎖している状態を示したものである。
【００４８】
撮影が終了すると、次にセット作動が行われる。その場合、本実施例においては、セット操作部材１４が、図示していないカメラ本体側の部材によってローラ１４ａを押され、時計方向へ回転させられる。そのため、一方では、セット操作部材１４のローラ１４ｃによって、ホールド補助部材２７が図８において時計方向へ回転させられ、他方では、セット操作部材１４のローラ１４ｂによって、セット部材１３が図９において反時計方向へ回転させられる。このようなホールド補助部材２７とセット部材１３の回転は、略同時に並行して行われるが、説明の都合上、ホールド補助部材２７の方から説明することにする。
【００４９】
上記のように、図９に示された状態において、セット操作部材１４が時計方向へ回転させられると、ローラ１４ｃがホールド補助部材２７を押して時計方向へ回転させるが、このときには、離反ばね３２の付勢力よりも連結ばね３１の付勢力の方が大きいため、ホールド部材２６とホールド補助部材２７の両方が、軸２６ａと当接部２７ａを接触させたまま、離反ばね３２の付勢力に抗して、図８に示された状態から、同時に時計方向へ回転することになる。
【００５０】
この時計方向の回転中、ホールド補助部材２７は、その被係止部２７ｄが、レリーズ部材３４の係止部３４ａの左端面と摺接するが、ホールド部材２６の方は、押圧部材３３によって、先羽根用解除部材２２と後羽根用解除部材２３に取り付けられている鉄片部材２４，２５の被押動部２４ａ，２５ａを押し、先羽根用解除部材２２を、図示していないばねの付勢力に抗して時計方向へ回転させ、後羽根用解除部材２３を、図示していないばねの付勢力に抗して反時計方向へ回転させていく。また、それに伴い、それらの解除部材２２，２３の押動部２２ａ，２３ａによって押されていた力が解かれていくため、先羽根用係止部材１５と後羽根用係止部材１６も、夫々の図示していないばねの付勢力によって反時計方向へ回転させられていく。そして、先羽根用解除部材２２と後羽根用解除部材２３に取り付けられている鉄片部材２４，２５が、電磁石１７，１８の鉄芯部材１７ａ，１８ａに対して正規の姿勢で接触した状態が、図１０に示されている。
【００５１】
そして、この図１０の状態になったときには、既に、二つの解除部材２２，２３の押動部２２ａ，２３ａと二つの係止部材１５，１６の被押動部１５ｂ，１６ｂとの接触は解かれており、二つの係止部材１５，１６の回転は、各々の被押動部１５ｂ，１６ｂが上地板６の孔６ｃ，６ｄの左縁に当接して、停止させられている。このような図１０の状態からホールド補助部材２７がさらに時計方向へ回転させられると、ホールド部材２６の方は、鉄片部材２４，２５が鉄芯部材１７ａ，１８ａに接触したことによって、それ以上回転することができないので、ホールド補助部材２７の当接部２７ａがホールド部材２６の軸２１ａから離れ、離反ばね３２のほかに連結ばね３１も緊張させていく。
【００５２】
そして、その直後には、ホールド補助部材２７の被係止部２７ｄとレリーズ部材３４の係止部３４ａとの摺接関係が解かれるので、レリーズ部材３４は、図示していないばねの付勢力によって反時計方向へ僅かに回転し、図示していないストッパに当接することによって、ホールド補助部材２７の係止可能状態になる。その係止可能状態になった瞬間が図１１に示されているが、実際には、ホールド補助部材２７はさらに回転させられるので、レリーズ部材３４は、後述するように、セット操作部材１４がセット操作を終了して反時計方向へ復動するとき、その係止部３４ａによって、ホールド補助部材２７の被係止部２７ｄを係止することになる。
【００５３】
他方、図９の状態から、カメラ本体側の部材によって、セット操作部材１４が時計方向へ回転させられると、セット操作部材１４のローラ１４ｂが、セット部材１３の被押動部１３ａを押し、セット部材１３を、図示していないばねの付勢力に抗して反時計方向へ回転させる。それによって、セット部材１３は、ローラ１３ｂ，１３ｃによって、先羽根用駆動部材１１と後羽根用駆動部材１２のローラ１１ｂ，１２ｂを順に押し、それらの駆動部材１１，１２を、図示していない各々の駆動ばねの付勢力に抗して、時計方向へ回転させることになる。
【００５４】
そこで、先ず、先羽根用駆動部材１１が時計方向へ回転を開始させられると、開口部１ａの上方位置に格納されていた先羽根の３枚の羽根３７，３８，３９が、隣接する羽根同士の重なり量を小さくしつつ下方へ作動させられていく。そして、先羽根のスリット形成羽根３９と後羽根のスリット形成羽根４４の重なりが所定量に達すると、後羽根用駆動部材１２も時計方向へ回転を開始させられるようになる。そのため、後羽根の３枚の羽根４２，４３，４４は、その時点から隣接する羽根同士の重なり量を小さくしつつ下方へ作動させられる。そして、それ以後は、先羽根と後羽根は、スリット形成羽根同士の重なり量を好適に保ちながら作動を続けていくことになる。
【００５５】
このようにして、セット作動が行われてゆき、先羽根の３枚の羽根３７，３８，３９が展開状態となって開口部１ａを覆い、後羽根の３枚の羽根４２，４３，４４が重畳状態となって開口部１ａの下方位置に達した段階になると、先羽根用駆動部材１１の被係止部１１ａが先羽根用係止部材１５の係止部１５ａに接触して、先羽根用係止部材１５を、図示していないばねの付勢力に抗して僅かに時計方向へ回転させ始める。そして、先羽根用駆動部材１１がなおも回転を続けることによってそれらの接触が解かれると、先羽根用係止部材１５は、図示していないばねの付勢力によって反時計方向へ回転させられ、係止部１５ａによる被係止部１１ａの係止可能状態になる。図１２は、その状態を示したものである。
【００５６】
しかも、図１２の状態になる直前には、既に、後羽根用駆動部材１２の被係止部１２ａも後羽根用係止部材１６の係止部１６ａに接触していて、図１２の状態になったときには、後羽根用係止部材１６を、図示していないばねの付勢力に抗して僅かに時計方向へ回転させた状態になっている。そのため、この状態から後羽根用駆動部材１２がなおも反時計方向へ回転させられると、被係止部１２ａと係止部１６ａとの接触が解かれることになって、後羽根用係止部材１６は、図示していないばねの付勢力によって反時計方向へ回転させられ、係止部１６ａによる被係止部１２ａの係止可能状態になる。図１３は、その状態を示したものである。
【００５７】
図示していないカメラ本体側の部材によるセット操作部材１４の時計方向への回転力は、セット操作部材１４が図１３の状態になった直後に失われる。そのため、セット部材１３は、図示していないばねの付勢力によって時計方向へ回転し得るようになり、その被押動部１３ａがセット操作部材１４のローラ１４ｂを押して、セット操作部材１４を反時計方向へ回転させていく。そして、後羽根用駆動部材１２が、図示していない後羽根用駆動ばねの付勢力によって追従し、その被係止部１２ａが後羽根用係止部材１６の係止部１６ａによって係止されると、セット部材１３のローラ１３ｃが後羽根用駆動部材１２のローラ１２ｂから離れてゆき、続いて、先羽根用駆動部材１１が、図示していない先羽根用駆動ばねの付勢力によって追従し、その被係止部１１ａが先羽根用係止部材１５の係止部１５ａによって係止されると、セット部材１３のローラ１３ｂも先羽根用駆動部材１１のローラ１１ｂから離れてゆく。
【００５８】
他方、セット操作部材１４が反時計方向へ回転させられていくと、そのローラ１４ｃがホールド補助部材２７の押圧力を解いていく。そのため、ホールド補助部材２７は、連結ばね３１の付勢力と離反ばね３２の付勢力とによって追従し、その被係止部２７ｄがレリーズ部材３４の係止部３４ａによって係止される。しかしながら、その係止状態においては、ホールド補助部材２７の当接部２７ａは、未だホールド部材２６の軸２６ａに接触していない。その後、セット部材１３は、なおもセット操作部材１４を反時計方向へ回転させ、セット操作部材１４が棚板８の折曲部８ａに当接すると停止する。図１及び図２は、そのようにしてセット作動が完了した状態を示したものであり、この状態が次の撮影の待機状態である。
【００５９】
尚、本実施例の場合には、本発明を、銀塩フィルムカメラにもデジタルカメラにも採用することのできる二つのシャッタ羽根（先羽根と後羽根）を備えたフォーカルプレンシャッタとして構成したものである。しかしながら、本実施例の構成部材のうち、アーム３５，３６と羽根３７，３８，３９とからなる先羽根と、先羽根用駆動部材１１と、先羽根用係止部材１５と、先羽根用解除部材２２と、先羽根用の電磁石１７とを取り外した構成にすれば、デジタルカメラにだけ採用することの可能な一つのシャッタ羽根を備えたフォーカルプレンシャッタとすることができる。また、本実施例の場合には、一つのシャッタ羽根が３枚の羽根を備えているが、羽根の枚数は、１枚だけであってもよいし、３枚以外の複数枚であっても構わない。
【図面の簡単な説明】
【００６０】
【図１】セット状態におけるシャッタ羽根の開閉駆動機構を被写体側から見て左約半分を示した実施例の平面図である。
【図２】セット状態における係止解除機構を被写体側から見て示した実施例の平面図である。
【図３】図２に示された係止解除機構の一部を拡大して示した側面図である。
【図４】実施例におけるホールド部材に対する押圧部材の回転位置関係を説明するための図であって、図４（ａ）は押圧部材の基準状態を示した平面図であり、図４（ｂ）は図４（ａ）の左側から見た側面図であり、図４（ｃ）は押圧部材が図４（ａ）の状態から反時計方向へ回転した状態を示した平面図であり、図４（ｄ）は押圧部材が図４（ａ）の状態から時計方向へ回転した状態を示した平面図である。
【図５】図２と同様に見て示した実施例の平面図であって、図２の状態からホールド部材による二つの解除部材の保持力を解いた状態を示したものである。
【図６】図２と同様に見て示した実施例の平面図であって、図５の状態から先羽根用駆動部材の係止を解除した状態を示したものである。
【図７】図１と同様に見て示した実施例の平面図であって、先羽根の開き作動が完了した状態を示したものである。
【図８】図２と同様に見て示した実施例の平面図であって、図６の状態から後羽根用駆動部材の係止を解除した状態を示したものである。
【図９】図１と同様に見て示した実施例の平面図であって、後羽根の閉じ作動が完了した状態を示したものである。
【図１０】図２と同様に見て示した実施例の平面図であって、図９の状態のあとセット作動が開始された直後の状態を示したものである。
【図１１】図２と同様に見て示した実施例の平面図であって、図１０の状態のあとホールド部材が二つの解除部材の保持状態に係止された状態を示したものである。
【図１２】図１と同様に見て示した実施例の平面図であって、先羽根と後羽根が図９の状態からセット作動させられ、先羽根が先羽根用係止部材によって係止され得るようになった状態を示したものである。
【図１３】図１と同様に見て示した実施例の平面図であって、図１２の状態のあと、後羽根が後羽根用係止部材によって係止され得るようになった状態を示したものである。
【符号の説明】
【００６１】
１                            シャッタ地板
１ａ，２ａ，３ａ              開口部
１ｂ，１ｃ                    長孔
１ｄ，１ｅ，１ｆ，１ｇ，１ｈ，１ｉ，１ｊ，１ｋ，１ｍ，６ａ，６ｂ，６ｈ，６ｉ，８ｂ，２６ａ，２６ｄ            軸
２                            中間板
３                            補助地板
４，５                        緩衝部材
６                            上地板
６ｃ，６ｄ，２６ｂ，２６ｃ    孔
６ｅ，６ｆ，８ａ，２７ｂ，２７ｃ  折曲部
７                            カバー板
７ａ                          抑止部
７ｂ，２６ｅ                  ストッパ部
８                            棚板
９，１０，２０，２１          ビス
１１                          先羽根用駆動部材
１１ａ，１２ａ，２７ｄ        被係止部
１１ｂ，１２ｂ，１３ｂ，１３ｃ，１４ａ，１４ｂ，１４ｃ  ローラ
１１ｃ，１２ｃ                駆動ピン
１２                          後羽根用駆動部材
１３                          セット部材
１３ａ，１５ｂ，１６ｂ，２４ａ，２５ａ  被押動部
１４                          セット操作部材
１５                          先羽根用係止部材
１５ａ，１６ａ，３４ａ        係止部
１６                          後羽根用係止部材
１７，１８                    電磁石
１７ａ，１８ａ                鉄芯部材
１７ｂ，１８ｂ                コイル
１７ｃ，１８ｃ                ボビン
２２                          先羽根用解除部材
２２ａ，２３ａ                押動部
２３                          後羽根用解除部材
２４，２５                    鉄片部材
２６                          ホールド部材
２７                          ホールド補助部材
２７ａ，３３ｃ                当接部
２８                          管軸部材
２９                          筒状部材
３０                          ワッシャ
３１                          連結ばね
３２                          離反ばね
３３                          押圧部材
３３ａ，３３ｂ                押圧片
３４                          レリーズ部材
３４ｂ                        操作部
３５，３６，４０，４１        アーム
３７，３８，３９，４２，４３，４４  羽根
【図１】
0004619227.tif 000002
【図２】
0004619227.tif 000003
【図３】
0004619227.tif 000004
【図４】
0004619227.tif 000005
【図５】
0004619227.tif 000006
【図６】
0004619227.tif 000007
【図７】
0004619227.tif 000008
【図８】
0004619227.tif 000009
【図９】
0004619227.tif 000010
【図１０】
0004619227.tif 000011
【図１１】
0004619227.tif 000012
【図１２】
0004619227.tif 000013
【図１３】
0004619227.tif 000014